(57)【特許請求の範囲】
【請求項１】
少なくとも内面に熱可塑性プラスチック樹脂が塗布されたプラスチック複合板紙からなる蓋材を、少なくとも内面に熱可塑性プラスチック樹脂が塗布されたプラスチック複合板紙からなり、方形の底面板の各辺に折り曲げ線を介して側面板とフランジが順次連設された紙トレーに、該紙トレーの開口部を覆うように載置し、蓋材の周縁とそれに重なるフランジとを熱融着させたトレー容器であって、
前記紙トレーのフランジに、紙トレーを構成する熱可塑性プラスチック樹脂全体と板紙の略半分の深さにまで達する半切れ線を設けたことを特徴とするトレー容器。
【請求項２】
前記半切れ線が、紙トレーの相対する二辺のうちの短い方の二辺のフランジに設けられていることを特徴とする請求項１記載のトレー容器。
【請求項３】
前記半切れ線が、紙トレーのフランジを横断するように横方向に設けられていることを特徴とする請求項１または２記載のトレー容器。
【請求項４】
前記半切れ線が、紙トレーの短い方の２つのフランジの側面板との境界の折り曲げ線上に重ねて設けられていることを特徴とする請求項１または２記載のトレー容器。
【請求項５】
前記半切れ線が、紙トレーの四方のフランジの側面板との境界の折り曲げ線上に重ねて設けられていることを特徴とする請求項１記載の紙トレー容器。
【発明の詳細な説明】
【０００１】
【発明の属する技術分野】
本発明は、熱可塑性プラスチック樹脂を塗布した板紙から構成されるフランジ付きの紙トレーと、該紙トレーの開口部に載置される蓋材からなり、該蓋材を紙トレーのフランジで熱融着により密封したトレー容器に関し、特には、開封を容易にしたトレー容器に関する。
【０００２】
【従来の技術】
従来、板紙に熱可塑性プラスチック樹脂を塗布した蓋材を、同様の熱可塑性プラスチック樹脂と板紙の複合紙からなるフランジ付きの紙トレーの開口部を覆うように載置し、蓋材の周縁とそれに重なるフランジとを熱融着させたトレー容器が商品化されている。
そして、このトレー容器を開封するには、一般的には容器のいずれかの隅角から蓋材をトレーから引き剥がして開封していた。
【０００３】
ところが、蓋材の熱可塑性プラスチック樹脂と紙トレーの熱可塑性プラスチック樹脂の組み合わせや、蓋材と紙トレーのフランジとの熱融着条件によっては、蓋材を開ける際、プラスチック樹脂同士がくっついてしまい、蓋材もしくはフランジが紙むけをおこしてしまうことがある。この状態がひどくなると蓋が開封できなくなることもあった。
【０００４】
【発明が解決しようとする課題】
本発明は、トレーと蓋材が紙と熱可塑性プラスチック樹脂の積層構成からなるトレー容器の開封時に発生する以上のような問題点を解決するためになされたもので、トレーと蓋材の熱可塑性プラスチック樹脂同士が熱融着した際に、トレーのフランジの板紙層を紙剥けさせることによって、易開封となるトレー容器を提供することを目的とする。
【０００５】
【課題を解決するための手段】
本発明の第１の発明は、少なくとも内面に熱可塑性プラスチック樹脂が塗布されたプラスチック複合板紙からなる蓋材を、少なくとも内面に熱可塑性プラスチック樹脂が塗布されたプラスチック複合板紙からなり、方形の底面板の各辺に折り曲げ線を介して側面板とフランジが順次連設された紙トレーに、該紙トレーの開口部を覆うように載置し、蓋材の周縁とそれに重なるフランジとを熱融着させたトレー容器であって、前記紙トレーのフランジに、紙トレーを構成する熱可塑性プラスチック樹脂全体と板紙の略半分の深さにまで達する半切れ線を設けたことを特徴とするトレー容器である。
【０００６】
また、第２の発明は、第１の発明において、前記半切れ線が、紙トレーの相対する二辺のうちの短い方の二辺のフランジに設けられていることを特徴とするトレー容器である。
【０００７】
また、第３の発明は、第１または第２の発明において、前記半切れ線が、紙トレーのフランジを横断するように横方向に設けられていることを特徴とするトレー容器である。
【０００８】
また、第３の発明は、第１または第２の発明において、前記半切れ線が、紙トレーの短い方の２つのフランジの側面板との境界の折り曲げ線上に重ねて設けられていることを特徴とするトレー容器である。
【０００９】
さらにまた、第４の発明は、第１または第２の発明において、前記半切れ線が、紙トレーの四方のフランジの側面板との境界の折り曲げ線上に重ねて設けられていることを特徴とする紙トレー容器である。
【００１０】
上記のように本発明によれば、紙トレーのフランジに、紙トレーを構成する熱可塑性プラスチック樹脂全体と板紙の略半分の深さにまで達する半切れ線を設けたので、蓋材を紙トレーから剥がす際、紙トレーの熱可塑性プラスチック樹脂と蓋材の熱可塑性プラスチック樹脂とが熱融着していても、トレーフランジの熱可塑性プラスチック樹脂は半切れ線から切断され、フランジの板紙層から剥がれる。従って容易にトレー容器は容易に開封可能となる。
【００１１】
また、半切れ線がフランジを横断するように横方向に設けられていると、紙トレーを構成する熱可塑性プラスチック樹脂が蓋材を構成する熱可塑性プラスチック樹脂と強力に熱融着していても、半切れ線で切断され、蓋材はフランジの板紙層から紙剥け状態になって剥がれるので、容易に開封可能となる。
半切れ線が紙トレーの短い方の２つのフランジの側面板との境界の折り曲げ線上に重ねて設けらていると、蓋材を紙トレーから剥がす際、蓋材に接着したフランジの熱可塑性樹脂は半切れ線で切断され、板紙層から紙剥け状態になって容易に開封できる。
さらに半切れ線が紙トレーの四方のフランジの側面板との境界の折り曲げ線上に重ねて設けられていると、蓋材を紙トレーから剥がす際、いずれの方向から蓋材を引き剥がしても、蓋材に接着したフランジの熱可塑性樹脂は半切れ線で切断され、糸引き現象等を発生することなく、板紙層から紙剥け状態になって容易に開封できる。
【００１２】
【発明の実施の形態】
以下実施例により本発明を詳細に説明する。
図１は本発明のトレー容器の一実施例を示す断面説明図であり、図２は本発明で使用する紙トレーのブランクの一例を示す展開説明図である。
【００１３】
トレー容器を構成する紙トレー１０と蓋材２０の材質構成は、板紙１に熱可塑性プラスチック樹脂２を積層した複合板紙を基本構成とする。
板紙１には、コートボール、コートマニラ、アイボリー等が好ましく使用できる。
また、熱可塑性プラスチック樹脂２としては、ポリプロピレン樹脂（ＰＰ）、ポリエチレン樹脂（ＰＥ）、ポリエチレンテレフタレート樹脂（ＰＥＴ）等の熱融着性を有する樹脂が好ましく使用できる。
【００１４】
板紙に熱可塑性プラスチック樹脂を塗布する方法としては、あらかじめフィルム状に加工された熱可塑性プラスチック樹脂を接着剤や溶融プラスチック樹脂を介して板紙と積層させても、また、熱溶融させた熱可塑性プラスチック樹脂を板紙の上に塗布するいわゆる溶融押出し法によって塗布しても、いずれの方法によっても構わない。
【００１５】
必要に応じては、板紙の両面に熱可塑性プラスチック樹脂を積層することもあり、また、紙トレーや蓋材の外側面に印刷表示層３やオーバーコートニス層４を設けることもある。
【００１６】
紙トレー用のブランクや紙トレーの開口部を覆う大きさの蓋材のブランクは、一般的には、前述した板紙に熱可塑性樹脂を積層したロール状の複合板紙から連続的に折り曲げ線付け等の加工と同時に打ち抜き作製する。
【００１７】
そして、紙トレー用のブランク１０ａは、例えば図２に示すように、方形の底面板１１の相対する二辺に、それぞれ折り曲げ線を介して側面板１２、１２が連設され、側面板１２、１２の外周に、折り曲げ線を介してフランジ１３、１３が連設されている。
フランジ１３、１３の左右端に、それぞれ横方向に延びる舌片１３１、１３１が設けられている。
【００１８】
側面板１２、１２の左右端に、それぞれ折り曲げ線を介して逆三角形状の折り込み接合板１２１、１２１が連設され、折り込み接合板１２１、１２１の外周には、折り曲げ線を介して接合フランジ１２２が連設されている。
【００１９】
底面板１１の他の相対する二辺には、それぞれ折り曲げ線を介して第２側面板１４、１４が連設され、第２側面板１４、１４の外周に、折り曲げ線を介して第２フランジ１５、１５が連設されている。
第２フランジ１５、１５の左右端に、それぞれ横方向に延びる第２舌片１５１、１５１が設けられている。
【００２０】
第２側面板１４、１４の左右端に、それぞれ折り曲げ線を介して逆三角形状の第２折り込み接合板１４１、１４１が連設され、折り込み接合板１２１の側面板１２と連設していない方の端縁と、第２折り込み接合板１４１の第２側面板１４と連設していない方の端縁とは、折り曲げ線を介して連設されている。
【００２１】
そして、各側面板を折り曲げてトレー状に組み立てた際、フランジ１３、１３、第２フランジ１５、１５、接合フランジ１２２、１２２がそれぞれ同一平面を形成するように設定されている。
【００２２】
このようにして作製されたブランク１０ａを折り曲げ線に沿って折り曲げ組み立てて紙トレー１０とする。各フランジおよび各接合板と各側面板は熱融着等の方法により接着させる。
【００２３】
ブランクの形状は、本実施例のように隣り合う側面が折り込み接合板１２１や第２折り込み接合板１４１を介して連続した形状でなく、隣り合う側面板が完全に切り離された、例えば図３に示すような形状としても良い。
【００２４】
ロール状の複合板紙からブランクを打ち抜く際、同時に、紙トレーのフランジ（フランジ１３、１３、第２フランジ１５、１５）に、紙トレーを構成する板紙の略半分の深さまで、半切れ線ｍを設けておくことが本発明のポイントである。
【００２５】
半切れ線ｍは、例えば、図２に示すように、紙トレーの相対する二辺のうちの短い方の二辺のフランジの端縁近傍に、紙トレーのフランジを横断するように横方向に設けられている。
こうすることにより、蓋材で密封した後のトレー容器の４隅のうちのいずれの１つの隅角から蓋材を引き剥がしても、蓋材に接着した紙トレーのプラスチックシートは、紙トレーのフランジにフランジを横断するように設けられた半切れ線によりフランジのプラスチックシートが切断されて蓋材と分離して、トレーのフランジが紙剥け状態になるので蓋材は容易に開封することができる。
【００２６】
また、半切れ線ｍを紙トレーのフランジを横断するように横方向に設ける以外にも、紙トレーの短い方の２つのフランジの側面板との境界の折り曲げ線上に重ねて設けたり、紙トレーの四方のフランジの側面板との境界の折り曲げ線上に重ねて設けたりしても良い（図４、図５参照）。
【００２７】
別に、蓋材用のロール紙より紙トレーの開口部を覆う大きさに打ち抜き蓋材２０とする。
【００２８】
組み立てた紙トレー１０に、必要に応じて内容物を収納後、開口部に熱可塑性プラスチック樹脂が内面になるようにして蓋材２０を被せ、蓋材の周縁とそれに重なる紙トレーのフランジを専用のシーラーで熱融着して本発明のトレー容器とする。
熱融着の方法は、ヒートシール、インパルスシール、超音波シール等公知の方法を用いれば良い。
【００２９】
トレー容器の隅角から蓋材の端縁と紙トレーのフランジの端縁を持って、紙トレーから蓋材を引き剥がすと、蓋材の方に接着したフランジ部分の熱可塑性樹脂は、半切れ線で切断され板紙層が紙剥け状態になり、板紙層から容易に開封可能となる。
【００３０】
【実施例】
以下に本発明の実施例をさらに具体的に説明する。
〈実施例１〉
先ず、〔内側〕ＰＰフィルム／ＰＥ／坪量２６０ｇ／ｍ2 のコートマニラ／ＰＰルーダ〔外側〕からなる構成のプラスチック複合板紙のロールを押し出しラミネート法により作製し、紙トレー作製用の原紙とした。
なお、ＰＰルーダ面には印刷表示層とオーバーコートニス層を印刷した。
【００３１】
ついで、〔内側〕ＰＰフィルム／ＰＥ／ＰＥＴ／接着剤／坪量１９０ｇ／ｍ2 のコートマニラ〔外側〕からなる構成のプラスチック複合板紙のロールを押し出しラミネート法と貼合わせラミネート法を併用して作製し、蓋材用の原紙とした。
なお、コートマニラ面には印刷表示層とオーバーコートニス層を印刷した。
【００３２】
つぎに、紙トレー作製用の原紙から、打ち抜き機を用いて図１に示すようなブランク１０ａを作製した。
このブランクを製函機にセットして紙トレー１０とした。
【００３３】
別に、蓋材用の原紙から打ち抜き機を用いて、紙トレーの開口部を覆う大きさの紙トレー用の蓋材２０を作製した。
【００３４】
最後に紙トレーにシーラントであるＰＰフィルムが内面になるようにして蓋材を被せ、蓋材の周縁とそれに重なる紙トレーのフランジを専用のシーラーで熱融着し、実施例１のトレー容器とした。
【００３５】
〈実施例２〉
半切れ線ｍを、図４に示すように、紙トレーの相対する二辺のうちの短い方の二辺のフランジの側面板との境界の折り曲げ線上に重ねて設けた以外は、実施例１と同じ材料、形状で、実施例２のトレー容器を作製した。
【００３６】
〈実施例３〉
半切れ線ｍを、図５に示すように、紙トレーの四方のフランジの側面板との境界の折り曲げ線上に重ねて設けた以外は、実施例１と同じ材料、形状で、実施例３のトレー容器を作製した。
【００３７】
このようにして作製した３種類のトレー容器の易開封性を、蓋材を紙トレーから引き剥がすことにより試験したが、いずれのトレー容器にあっても、蓋材に熱融着した紙トレーのフランジ部分の熱可塑性プラスチック樹脂は半切れ線で切断され、その下層の板紙層が紙剥け状態になって容易に開封することができた。
【００３８】
【発明の効果】
上記のように本発明によれば、紙トレーのフランジに半切れ線を設けたので、トレー容器の開封性が向上すると共に、容器に熱可塑性プラスチック樹脂の切れ端等が残ることがなく、衛生的で見た目も良い。
【図面の簡単な説明】
【図１】本発明のトレー容器の一実施例を示す、断面説明図である。
【図２】本発明に使用する紙トレーの形状の一例を示す展開説明図である。
【図３】本発明に使用する紙トレーの別の形状の一例を示す展開説明図である。
【図４】本発明のトレー容器に施された半切れ線の別の一例を示す説明図である。
【図５】本発明のトレー容器に施された半切れ線のさらに別の一例を示す説明図である。
【符号の説明】
１‥‥板紙
２‥‥熱可塑性プラスチック樹脂
３‥‥印刷表示層
４‥‥オーバーコートニス層
１０‥‥紙トレー
１０ａ‥紙トレーブランク
１１‥‥底面板
１２‥‥側面板
１３‥‥フランジ
１４‥‥第２側面板
１５‥‥第２フランジ
２０‥‥蓋材
１２１‥‥折り込み接合板
１２２‥‥接合フランジ
１３１‥‥舌片
１４１‥‥第２折り込み接合板
１５１‥‥第２舌片
ｍ‥‥半切れ線
【図１】
0004238412.tif 000002
【図２】
0004238412.tif 000003
【図３】
0004238412.tif 000004
【図４】
0004238412.tif 000005
【図５】
0004238412.tif 000006